(57)【要約】【課題】風呂用給湯機のリモコン装置においてスイッチなどの数を可及的に少なくしてその使い勝手を向上させることを目的とする。【解決手段】操作切替スイッチ６で指定した操作モードが表示部２に選択的に表示され、該当する操作モードに対応した給湯温度、風呂湯温、風呂水位、保温温度などをアップスイッチまたはダウンスイッチで選択的に可変できるようにしたものである。したがって、スイッチの数を少なくして誤操作を抑え、使い勝手を向上できる。【選択図】  図１
2004232992.tif 000002
【特許請求の範囲】
【請求項１】
器具への運転指示信号を入力する運転スイッチと、風呂自動運転スイッチと、風呂の追焚きスイッチと、給湯温度設定、風呂湯温設定または風呂水位設定操作のいずれか一つを選択する操作切替スイッチと、前記操作切替スイッチで選択された給湯温度、風呂湯温または風呂水位の設定値を変更するアップスイッチ、ダウンスイッチと、操作切替スイッチで選択された操作表示部の報知を行なう状態報知部とを備えた風呂用給湯機の浴室リモコン装置。
【請求項２】
切替スイッチは、初期状態時に給湯温度設定状態にしてある請求項１記載の風呂用給湯機の浴室リモコン装置。
【請求項３】
切替スイッチは、給湯湯温設定、風呂湯温設定、風呂湯量設定の順番に切替動作を行う請求項１記載の風呂用給湯機の浴室リモコン装置。
【請求項４】
切替スイッチは、操作終了時からある一定時間を経過した場合は給湯湯温設定に自動的に切替わる請求項１記載の風呂用給湯機の浴室リモコン装置。
【請求項５】
切替スイッチで選択された表示部の状態報知部を点滅するようにした請求項１記載の風呂給湯機の浴室リモコン装置。
【請求項６】
切替スイッチで選択された表示部を点滅するようにした請求項１または５記載の風呂用給湯機の浴室リモコン装置。
【請求項７】
切替スイッチで選択した表示部と対応する状態報知部の値は切替スイッチを押すか一定時間放置することにより確定する請求項１または５記載の風呂用給湯機の浴室リモコン装置。
【請求項８】
切替えスイッチで設定した表示部と対応する状態報知部の値は運転スイッチがオフされてもその状態を記憶してなる請求項１または５記載の風呂用給湯機の浴室リモコン装置。
【発明の詳細な説明】
【０００１】
【発明の属する技術分野】
本発明は、風呂用給湯機の浴室リモコン装置に関するものである。
【０００２】
【従来の技術】
従来のこの種風呂用給湯機の浴室リモコン装置は、図４に示すように給湯機へ運転指示信号を入力する運転スイッチ３１と、台所など他にもリモコン装置が設置されている場合に、風呂側のリモコン装置に優先権を与えるための優先スイッチ３２と風呂湯温、浴槽湯量をある設定した時間内は自動的に補正する風呂自動運転スイッチ３３と風呂の追焚きスイッチ３４とが前面部に設けられ、さらに給湯温度を設定するためのアップ・ダウンスイッチ３５ａ、風呂湯温を設定するためのアップ・ダウンスイッチ３５ｂ、風呂湯量を設定するためのアップ・ダウンスイッチ３５ｃ、自動運転時間（保温時間）を設定するためのスイッチ３５ｄなどは全てを前面に設置してあった。
【０００３】
またこれらアップ・ダウンスイッチ３５ａ、３５ｂ、３５ｃおよびスイッチ３５ｄは誤動作防止を目的として蓋３６で覆うようにし、運転スイッチ３１およびに風呂自動運転スイッチ３３は前記蓋３６を閉じた状態でも操作できるようにしてあった。
【０００４】
【発明が解決しようとする課題】
しかしながら、前記従来のものでは、蓋３６を開いた状態でアップ・ダウンスイッチ３５ａ、３５ｂ、３５ｃおよびスイッチ３５ｄが並んでいるところから、何を操作してよいのかわかりにくくなるとともに操作を間違える恐れがあった。また蓋３６を閉じておくと逆に操作性に不便さを有していた。
【０００５】
本発明は、かかる従来の課題を解決するもので、設定操作をし易くし、使い勝手を向上させることを目的とする。
【０００６】
【課題を解決するための手段】
上記課題を解決するため本発明は、器具への運転指示信号を入力する運転スイッチと、風呂自動運転スイッチと、風呂の追焚きスイッチと、給湯温度設定、風呂湯温設定または風呂水位設定操作のいずれか一つを選択する操作切替スイッチと、前記操作切替スイッチで選択された給湯温度、風呂湯温または風呂水位の設定値を変更するアップスイッチ、ダウンスイッチと、操作切替スイッチで選択された操作表示部の報知を行なう報知機能とを備えたもので、操作部の数を大幅に減らして、的確な操作ができ、加えて、その使い勝手を向上させたものである。
【０００７】
【発明の実施の形態】
本発明の風呂用給湯機のリモコン装置は、器具への運転指示信号を入力する運転スイッチと、風呂自動運転スイッチと、風呂の追焚きスイッチと、給湯温度設定、風呂湯温設定または風呂水位設定操作のいずれか一つを選択する操作切替スイッチと、前記操作切替スイッチで選択された給湯温度、風呂湯温または風呂水位の設定値を変更するアップスイッチ、ダウンスイッチと、操作切替スイッチで選択された操作表示部の報知を行なう状態報知部とを備えたものである。
【０００８】
したがって、スイッチの数が少なくなり、誤動作を抑えることができるものである。
【０００９】
前記切替スイッチは、初期状態時に給湯温度設定状態にしてあり、また、給湯湯温設定、風呂湯温設定、風呂湯量設定の順番に切替動作を行うようにしている。加えて、操作終了時からある一定時間を経過した場合は給湯湯温設定に自動的に切替わるようにしているところから、最も使用頻度の高い給湯湯温の変更が効率的に行なえるものである。
【００１０】
また、切替スイッチで選択された表示部の状態報知部を点滅するようにしたり、表示部を点滅するようにしているので、的確な操作が可能となる。
【００１１】
そして、切替スイッチで選択した表示部と対応する状態報知部の値は切替スイッチを押すか一定時間放置することにより確定し、しかも、状態報知部の値は運転スイッチがオフされてもその状態を記憶するから、非常に使い勝手がよくなる。
【００１２】
【実施例】
以下、本発明の実施例を図面を参照して説明する。
【００１３】
図１〜図３において、リモコン装置本体１は、後述するスイッチ部と、表示部２とからなる。
【００１４】
スイッチ部は、給湯機へ運転指示信号を入力する運転スイッチ３と、台所など他にもリモコン装置が設置されている場合に、風呂側のリモコン装置に優先権を与えるための優先スイッチ４と、風呂湯温、浴槽湯量をある設定した時間内は自動的に補正する風呂自動運転スイッチ５と、風呂の追焚きスイッチ５ａとからなり、表示部２を挟んでリモコン装置本体１の四隅に配置されている。
【００１５】
また、表示部２と運転スイッチ３および風呂自動運転スイッチ５との間には操作切替スイッチ６と、アップスイッチ７と、ダウンスイッチ８とが配列してある。
【００１６】
さらに、表示部２は、給湯用表示帯域９と、風呂湯温・浴槽湯量表示帯域１０と、保温表示帯域１１を上から順に配置設定してある。
【００１７】
給湯用表示帯域９は、「給湯／シャワー」の表示をした給湯表示部１２と給湯温度の給湯温度状態報知部１３を有し、さらに優先スイッチ４がオンである状態を報知する優先状態報知部１４と、給湯機が動作している状態を報知する給湯機動作報知部１５とが併設してある。
【００１８】
風呂湯温・浴槽湯量表示帯域１０は、風呂湯温表示部１６とそのときの風呂湯温設定状態を表示する風呂湯温設定状態報知部１７および風呂水位表示部１８とそのときの風呂水位設定状態をイメージで報知する風呂水位設定状態報知部１９を有するものである。
【００１９】
保温表示帯域１１は、風呂自動運転がなされているのを表示する風呂自動運転表示部２０と、保温動作にあるのを表示する保温動作表示部２１および保温時間表示部２２と、この保温時間状態を数字で表す保温時間状態報知部２３を有する。
【００２０】
次に図３とともに操作説明を行なう。今、運転スイッチ３をオンにすると（ＳＴ１）、操作切替スイッチ６も実質的にオンとなり（ＳＴ２）、この状態で操作切替スイッチ６の操作モード（ＳＴ３）に進む。
【００２１】
ここでまず給湯温度設定モード（ＳＴ４）に至り、ここでアップスイッチ７若しくはダウンスイッチ８が操作されないと再度ＳＴ３に戻る。
【００２２】
給湯温度設定モード（ＳＴ４）でアップスイッチ７若しくはダウンスイッチ８が操作された場合、或いは、ＳＴ３で切替スイッチ６を操作して（ＳＴ５）、給湯温度設定モードにした場合は、給湯用表示帯域９の給湯表示部１２および給湯温度状態報知部１３が点滅し（ＳＴ６）、先のアップスイッチ７若しくはダウンスイッチ８で選択された給湯温度に設定される。その時々の温度は給湯温度状態報知部１３に報知されるものである。
【００２３】
なお、給湯温度設定モードは当初自動的に選定されているために、ＳＴ３からＳＴ５を経てＳＴ６に至ることはなく、実質的にはＳＴ３→ＳＴ４→ＳＴ６とフロー的には動作する。
【００２４】
そして、給湯温度の変更が終了（ＳＴ７）、若しくは変更時間が一定時間経過すると（ＳＴ８）、給湯表示部１２および給湯温度状態報知部１３の点滅が停止される（ＳＴ９）。変更時間経過以内ではＳＴ６に戻る。
【００２５】
したがって、給湯栓を開くと設定された温度の湯が得られ、またこの時の給湯機の運転状態が給湯機動作報知部１５で報知されることとなる。
【００２６】
ＳＴ５において、切替スイッチ６を押すことによって風呂温度設定モード→風呂水位設定モード→保温時間設定モードの順に切替えられ（ＳＴ１０）、選択された風呂湯温表示部１６、風呂温度設定状態報知部１７或いは風呂水位表示部１８、風呂水位設定状態報知部１９或いは保温動作表示部２１、保温時間状態報知部２２が点滅される（ＳＴ１１）。
【００２７】
ここでアップスイッチ７またはダウンススイッチ８を押すことで（ＳＴ１２）、風呂湯温、風呂水位、保温時間の設定が行なえるものである。
【００２８】
前記設定作業が終了すると該当する表示部および状態報知部の点滅が停止される（ＳＴ１３）。もちろん、設定作業中はＳＴ１２→ＳＴ１１のステップを繰り返す。
【００２９】
そして、設定作業終了から一定時間経過すると（ＳＴ１４）、再度ＳＴ２に、未経過の場合はＳＴ５にそれぞれ戻る。
【００３０】
給湯（シャワー）動作は既に述べた通りで、次に風呂自動運転スイッチ５をオンすると、風呂温度設定状態報知部１７に報知されている温度の湯が風呂水位設定状態報知部１９に報知された量供給されることとなる。その動作中は給湯器動作状態報知部１５が点灯している。
【００３１】
さらに浴槽への給湯動作が完了した後、保温時間状態報知部２３に報知された時間内においては、風呂温度設定状態報知部１７に報知された湯温に自動的に保温される。保温動作時には保温動作表示部２１が点滅される。
【００３２】
なお、一端設定された給湯温度、風呂湯温、風呂水位および保温時間は、運転スイッチ３をオフしてもそれぞれ更新手続きが行なわれない限りそのまま記憶され続けられる。
【００３３】
【発明の効果】
以上のように本発明によれば、浴室リモコンの操作の全てを前面より行うことができ、かつ、操作スイッチが多すぎてどれを操作してよいのかわからないこともなく、より実用に即した使い勝手のよい浴室リモコンを提供するものである。
【図面の簡単な説明】
【図１】本発明の風呂用給湯機の浴室リモコン装置の正面図
【図２】同リモコン装置の表示部の説明図
【図３】本発明の実施例の動作フローチャート
【図４】従来例の風呂給湯機の浴室リモコン装置の正面図
【符号の説明】
２  表示部
３  運転スイッチ
５  風呂自動運転スイッチ
６  操作切替スイッチ
７  アップスイッチ
８  ダウンスイッチ
【図１】
2004232992.tif 000003
【図２】
2004232992.tif 000004
【図３】
2004232992.tif 000005
【図４】
2004232992.tif 000006